(57)【要約】  患者の健康状態及び診療記録に基づいて追加検査を提案する方法は、ユーザインターフェースを介して、患者の診療記録を入力するステップと、複数の健康センサを介して、患者の健康パラメータを取得するステップと、取得した健康パラメータに基づいて、患者の健康状態を決定するステップと、決定された患者の健康状態及び入力された患者の診療記録を、ネットワークサーバに送信して、ネットワークサーバを介して、送信された患者の健康状態及び診療記録に対応する健康テンプレートを決定するステップと、ネットワークサーバから、決定された健康テンプレートを受信するステップと、受信した健康テンプレートから、酸素飽和度閾値範囲及び脈拍数閾値範囲を抽出するステップと、パルスオキシメータを介して、患者の酸素飽和度及び脈拍数を取得するステップと、取得した酸素飽和度及び脈拍数が、それぞれ、抽出した酸素飽和度閾値範囲及び脈拍閾値範囲内にない場合、取得した健康テンプレートに基づいて、１つ以上の追加検査を提案するステップとを含む。
2018527133.tif 000002
【特許請求の範囲】
【請求項１】
患者の健康状態及び診療記録に基づいて追加検査を提案する方法であって、
ユーザインターフェースを介して、前記患者の診療記録を入力するステップと、
複数の健康センサを介して、前記患者の健康パラメータを取得するステップと、
取得した前記健康パラメータに基づいて、前記患者の健康状態を決定するステップと、
決定された前記患者の健康状態及び入力された前記患者の診療記録を、ネットワークサーバに送信して、前記ネットワークサーバを介して、送信された前記患者の健康状態及び診療記録に対応する健康テンプレートを決定するステップと、
前記ネットワークサーバから、決定された前記健康テンプレートを受信するステップと、
受信した前記健康テンプレートから、酸素飽和度閾値範囲及び脈拍数閾値範囲を抽出するステップと、
パルスオキシメータを介して、前記患者の酸素飽和度及び脈拍数を取得するステップと、
取得した前記酸素飽和度及び前記脈拍数が、それぞれ、抽出した前記酸素飽和度閾値範囲及び前記脈拍閾値範囲内にない場合、取得した前記健康テンプレートに基づいて、１つ以上の追加検査を提案するステップと、
を含む、方法。
【請求項２】
前記健康テンプレートは、喘息、低血圧、肺高血圧、ＣＯＰＤの既往歴、肺がんの既往歴及び糖尿病の既往歴から選択される、請求項１に記載の方法。
【請求項３】
前記健康テンプレートは、喘息であり、前記酸素飽和度閾値範囲は、１００〜９４ＳｐＯ２％であり、前記脈拍数閾値範囲は、７０〜４５ＢＰＭである、請求項２に記載の方法。
【請求項４】
前記１つ以上の追加検査は、血圧検査、呼吸速度検査及びオプションの提案検査から選択される、請求項１に記載の方法。
【請求項５】
前記診療記録は、前記患者の病気、疾患、現在の薬物治療、家族病歴、患者情報又はこれらの任意の組み合わせを含む、請求項１に記載の方法。
【請求項６】
前記患者情報は、年齢、体重、身長又はこれらの任意の組み合わせを含む、請求項５に記載の方法。
【請求項７】
取得した前記健康パラメータは、免疫グロブリンＥレベル、体温又は両方を含む、請求項１に記載の方法。
【請求項８】
前記患者の健康状態を決定するステップは、コントローラユニットによって自動的に行われる、請求項１に記載の方法。
【請求項９】
前記患者の健康状態及び診療記録を、コントローラユニットのメモリに記憶するステップを更に含む、請求項１に記載の方法。
【請求項１０】
前記患者の健康状態を決定するために、前記患者の前記健康パラメータを取得するステップを更に含む、請求項１に記載の方法。
【請求項１１】
前記１つ以上の追加検査は、取得した前記健康テンプレートから抽出される、請求項１に記載の方法。
【請求項１２】
前記患者の前記酸素飽和度及び前記脈拍数を取得するステップは、取得した前記酸素飽和度及び前記脈拍数が各々の閾値範囲内にある場合は、引き続き行われる、請求項１に記載の方法。
【請求項１３】
介護者によって提案される１つ以上の介護者提案検査を、提案される前記１つ以上の追加検査に追加するステップを更に含む、請求項１に記載の方法。
【請求項１４】
提案される前記１つ以上の追加検査を、表示デバイスに表示するステップを更に含む、請求項１に記載の方法。
【請求項１５】
提案される前記１つ以上の追加検査が前記患者に行われるべきであることを医師に警告するアラームを、前記表示デバイスを介してトリガリングするステップを更に含む、請求項１４に記載の方法。
【請求項１６】
前記複数の健康センサは、体温計、ＥＣＧ、ＥＫＧ、血糖モニタ、血圧モニタ又はこれらの任意の組み合わせを含む、請求項１に記載の方法。
【請求項１７】
患者の健康状態及び診療記録に基づいて追加検査を提案するシステムであって、
前記患者の健康パラメータを取得する複数の健康センサと、
前記患者の酸素飽和度及び脈拍数を取得するパルスオキシメータと、
前記患者の診療記録を入力するためのユーザインターフェースを有する表示デバイスと、
前記複数の健康センサ、前記パルスオキシメータ及び前記表示デバイスに接続されるコントローラユニットと、
前記コントローラユニットに接続され、前記患者の健康パラメータ及び入力された前記患者の診療記録に基づいて、健康テンプレートを決定するネットワークサーバと、
を含む、システム。
【請求項１８】
前記ネットワークサーバは、クラウド内に存在する、請求項１７に記載のシステム。
【請求項１９】
前記コントローラユニットは、前記表示デバイスに接続されるスタンドアロンデバイスである、請求項１７に記載のシステム。
【請求項２０】
前記コントローラユニットは、前記表示デバイス内に存在する、請求項１７に記載のシステム。
【請求項２１】
前記ユーザインターフェースは、前記表示デバイスに組み込まれている、請求項１７に記載のシステム。
【請求項２２】
前記ユーザインターフェースは、追加測定インターフェースを含む、請求項１７に記載のシステム。
【請求項２３】
前記コントローラユニットは、前記パルスオキシメータ内に存在する、請求項１７に記載のシステム。
【発明の詳細な説明】
【技術分野】
【０００１】
パルスオキシメトリは、患者の酸素飽和度（ＳｐＯ２）及び脈拍数を測定する効果的な非侵襲的方法である。
【背景技術】
【０００２】
測定されたＳｐＯ２及び脈拍数は、患者の健康状態を示す優れた指標である。測定されたＳｐＯ２及び脈拍数は、既知の正常範囲から外れる場合、患者が未知の状態を経験していることを示す。医師によって追加検査が患者に行われ、患者の現在の状態が決定される。これらの追加検査は、患者の健康状態だけでなく患者の診療記録にも固有のものであってよい。
【発明の概要】
【発明が解決しようとする課題】
【０００３】
したがって、患者の健康状態及び診療記録に基づいて、追加検査を提案するシステムが必要である。
【課題を解決するための手段】
【０００４】
本発明の幾つかの実施形態によるシステム及び方法は、患者の健康状態並びに家族の病歴及び持病を含む診療記録に基づいて追加検査を提案するシステム及び方法に関する。システムは、患者の健康パラメータを取得する複数の健康センサと、患者の酸素飽和度及び脈拍数を取得するパルスオキシメータと、患者の診療記録を入力するためのユーザインターフェースを有する表示デバイスとを含む。システムは更に、複数の健康センサと、パルスオキシメータと、表示デバイスとに接続されるコントローラユニットを含む。コントローラユニットは更に、ネットワークサーバに接続される。
【０００５】
方法は、ユーザインターフェースを介して、患者の診療記録を入力するステップと、複数の健康センサを介して、患者の健康パラメータを取得するステップと、取得した健康パラメータに基づいて、患者の健康状態を決定するステップと、決定された患者の健康状態及び入力された患者の診療記録を、ネットワークサーバに送信して、ネットワークサーバを介して、送信された患者の健康状態及び診療記録に対応する健康テンプレートを決定するステップと、ネットワークサーバから、決定された健康テンプレートを受信するステップと、受信した健康テンプレートから、酸素飽和度閾値範囲及び脈拍数閾値範囲を抽出するステップと、パルスオキシメータを介して、患者の酸素飽和度及び脈拍数を取得するステップと、取得した酸素飽和度及び脈拍数が、それぞれ、抽出した酸素飽和度閾値範囲及び脈拍閾値範囲内にない場合、取得した健康テンプレートに基づいて、１つ以上の追加検査を提案するステップとを含む。
【図面の簡単な説明】
【０００６】
本発明の更なる理解を提供するために含まれる添付図面は、本発明の実施形態を例示するために本明細書に組み込まれている。説明と共に、図面は、本発明の原理の説明にも役立つ。
【０００７】
【図１】図１は、本発明の好適な実施形態による、患者の健康状態及び診療記録に基づいて追加検査を提案するシステムのブロック図を示す。
【図２】図２は、本発明の好適な実施形態によるフローチャートを示す。
【図３Ａ】図３Ａは、表示デバイスを示す。
【図３Ｂ】図３Ｂは、ユーザインターフェースを有する表示デバイスを示す。
【図４Ａ】図４Ａは、本発明の好適な実施形態によるユーザインターフェースを示す。
【図４Ｂ】図４Ｂは、本発明の好適な実施形態によるユーザインターフェースを示す。
【図５】図５は、本発明の第２の実施形態による、患者の健康状態及び診療記録に基づいて追加検査を提案するシステムのブロック図を示す。
【図６】図６は、パルスオキシメータソフトウェアのフローチャートを示す。
【図７】図７は、ネットワークサーバソフトウェアのフローチャートを示す。
【図８】図８は、ネットワーク健康テンプレートデータベースを示す。
【発明を実施するための形態】
【０００８】
本発明は、ユーザインターフェースを介して、患者の診療記録を入力するステップと、複数の健康センサを介して、患者の健康パラメータを取得するステップと、取得した健康パラメータに基づいて、患者の健康状態を決定するステップと、ネットワークサーバに、決定された患者の健康状態及び入力された患者の診療記録を送信して、ネットワークサーバを介して、送信された患者の健康状態及び患者の診療記録に基づいて健康テンプレートを決定するステップと、ネットワークサーバから、決定された健康テンプレートを受信するステップと、受信した健康テンプレートから、酸素飽和度閾値及び脈拍数閾値範囲を抽出するステップと、パルスオキシメータを介して、患者の酸素飽和度及び脈拍数を取得するステップと、取得した酸素飽和度及び脈拍数が抽出した酸素飽和度閾値及び脈拍数閾値範囲内にない場合、取得した健康テンプレートから追加検査を提案するステップとを含む、患者の健康状態及び診療記録に基づいて追加検査を提案する方法に関する。
【０００９】
本発明は更に、患者の健康パラメータを取得するための複数の健康センサと、患者の酸素飽和度及び脈拍数を取得するためのパルスオキシメータと、患者の診療記録を入力するためのユーザインターフェースを有する表示デバイスと、複数の健康センサ、パルスオキシメータ及び表示デバイスに接続されるコントローラユニットと、コントローラユニットに接続され、患者の健康状態及び入力された患者の診療記録に基づいて健康テンプレートを決定するネットワークサーバとを含む、患者の健康状態及び診療記録に基づいて追加検査を提案するシステムに関する。
【００１０】
図１に示される本発明の好適な実施形態では、患者の健康状態及び診療記録に基づいて追加検査を提案するシステムは、複数の健康センサ１００と、パルスオキシメータ１０２と、コントローラユニット１０４と、ユーザインターフェース１０８を有する表示デバイス１０６とを含む。コントローラユニット１０４は、プロセッサ１１０、メモリ１１２及び通信モジュール１１４を含む。更に、複数の健康センサ１００、パルスオキシメータ１０２及び表示デバイス１０６は、コントローラユニット１０４に接続される。コントローラユニット１０４は更に、通信リンク１１８を介して、ネットワークサーバ１１６に接続される。
【００１１】
図２は、本発明の好適な方法を示す。医師が、ユーザインターフェース１０８を介して、患者の診療記録を入力する（ステップ２００）。入力された診療記録は、患者の病気、疾患、現在の薬物治療、家族病歴及び年齢、体重、身長といった様々な患者情報を含む。その後、複数の健康センサ１００を介して、患者の健康パラメータが取得される（ステップ２０２）。取得される健康パラメータの例は、血液検査デバイスによって取得される免疫グロブリンＥ（ＩｇＥ）レベル及び体温計によって取得される体温である。
【００１２】
取得した健康パラメータ（ステップ２０２）に基づいて、患者の健康状態が決定される（ステップ２０８）。好適には、患者の健康状態の決定は、本明細書において説明されるように、コントローラユニット１０４によって自動的に行われる。オプション的に、患者の健康状態の決定は、医師によって手動で行われる。次に、決定された患者の健康状態は、ユーザインターフェース１０８に入力される。患者の健康状態及び診療記録は、コントローラユニット１０４のメモリ１１２に記憶される。取得した免疫グロブリンＥ（ＩｇＥ）レベル及び体温に基づいて、例えばコントローラユニット１０４は、患者が喘息を有し、体温は正常であることを決定する。更に、患者のより正確な健康状態（２０６）を可能とするために、介護者が、健康センサによって取得された健康パラメータ（例えば呼吸速度）に追加検査を行ってよい（２０４）。
【００１３】
その後、患者の健康状態及び患者の診療記録は、通信モジュール１１４を介して、ネットワークサーバ１１６に送信される。送信は、Ｗｉ−Ｆｉ（登録商標）を介して無線で行われても、ＵＳＢケーブルを介して有線で行われてもよい。次に、ネットワークサーバ１１６は、送信された患者の健康状態及び診療記録に基づいて、健康テンプレートを決定する（ステップ２１０）。本発明の幾つかの実施形態によれば、健康テンプレートは、酸素飽和度、脈拍数閾値範囲並びに患者の健康状態及び診療記録に関連する追加検査を含む。決定された健康テンプレートは、次に、ネットワークサーバ１１６によって、コントローラユニット１０４に送信され、コントローラユニット１０４によって受信される（ステップ２１２）。
【００１４】
次に、受信した健康テンプレートは、コントローラユニット１０４によって抽出され、酸素飽和度閾値、脈拍数閾値範囲並びに患者の健康状態及び診療記録に関連する追加検査が抽出される（ステップ２１４）。これらの抽出された閾値範囲は、コントローラユニット１０４によって、追加検査を提案するためのトリガとして設定される。トリガの設定は、コントローラユニット１０４によって自動的に行われても、ユーザインターフェース１０８を介して、医師によって手動で行われてもよい。例えば脈拍数の閾値範囲は４５ＢＰＭ未満である一方で、酸素飽和度の閾値範囲は９４％未満である。
【００１５】
抽出した閾値範囲を設定後、パルスオキシメータ１０２は、患者の酸素飽和度及び脈拍数を取得する（ステップ２１６）。コントローラユニット１０４は、取得した酸素飽和度及び脈拍数が、抽出した酸素飽和度閾値及び脈拍数閾値範囲内であるかどうかを決定する（ステップ２１８）。取得した酸素飽和度及び脈拍数が、各々の閾値範囲内にある場合、パルスオキシメータ１０２は、患者の酸素飽和度及び脈拍数を引き続き取得する（ステップ２１６）。或いは、取得した酸素飽和度及び脈拍数が、各々の閾値範囲内にない場合、コントローラユニット１０４が、取得した健康テンプレートから抽出された追加検査を提案する（ステップ２２０）。更に、介護者が、介護者自身が提案する検査を入力してもよく（２２２）、介護者提案検査は、ユーザインターフェース上の提案検査リストに加えられる（２２４）。
【００１６】
例えば取得した酸素飽和度が９２％であり、取得した脈拍数が３８ＢＰＭである。これらの取得パラメータは、各々の閾値範囲を下回る。これを受けて、コントローラユニット１０４は、健康テンプレートから抽出された追加検査を提案する。患者の健康状態及び診療記録に基づいて、提案される追加検査は、血圧検査及び呼吸速度検査である。
【００１７】
本発明の好適な実施形態によれば、提案される追加検査は、表示デバイス１０６に表示される。提案される追加検査が患者に行われるべきであることを医師に警告するアラームも表示デバイス１０６を介してトリガされてよい。
【００１８】
複数の健康センサ１００を用いて、患者の健康パラメータが取得される。これらの取得健康パラメータは、患者の健康状態を決定するために使用される。使用される複数の健康センサ１００の例には、体温計、ＥＣＧ、ＥＫＧ、血糖モニタ及び血圧モニタが含まれる。本発明のパルスオキシメータ１０２は、好適には、患者の指に着用され、患者の酸素飽和度及び脈拍数を測定する携帯型パルスオキシメータデバイスである。本明細書において使用されるネットワークサーバ１１６は、例えばコントローラユニット１０４の付近にあってよい。本発明の別の実施形態では、ネットワークサーバ１１６は、クラウドサーバにある。コントローラユニット１０４は、好適には、表示デバイス１０６に接続されるスタンドアロンデバイスであり、ラップトップコンピュータ、デスクトップコンピュータ、モバイルホン、タブレットコンピュータ又はＰＤＡであってよい。本発明の別の実施形態では、コントローラユニット１０４は表示デバイス１０６内にある。
【００１９】
本発明の様々な実施形態によれば、メモリ１１２は、高速ランダムアクセスメモリ、又は、磁気ディスクストレージデバイス、光学ストレージデバイス又はフラッシュメモリといった不揮発性メモリを含む。メモリ１１２は更に、本発明に開示されるシステムの処理、特徴及びアプリケーションを手助けするソフトウェア命令も記憶する。通信モジュール１１４は、Ｗｉ−Ｆｉ（登録商標）、ブルートゥース（登録商標）、赤外線、ＮＦＣ、無線周波数、セル式通信、可視光通信、Ｌｉ−Ｆｉ、ＷｉＭａｘ、ＺｉｇＢｅｅ（登録商標）、光ファイバ及び他の形のワイヤレス通信デバイスに使用される任意の送信器又は受信器を含む。或いは、通信モジュール１１４は、ＵＳＢケーブルといった物理的なチャネル又は他の有線形式の通信を含む。
【００２０】
図３Ａは、当技術分野において知られている例示的な表示デバイス１０６を示す。表示グラフ３００は、酸素飽和度測定値及び脈拍数測定値対時間のグラフを示す。この表示グラフ３００によって、医師は、パルスオキシメータ１０２の前の測定値だけでなく、測定値の線傾向も見ることができる。現在のＳｐＯ２測定値３０２及び現在の脈拍数測定値３０４も表示デバイス１０６に表示される。
【００２１】
図３Ｂは、本発明のシステムの実施形態の幾つかによる、例示的なユーザインターフェース１０８を有する例示的な表示デバイス１０６を示す。幾つかの実施形態では、ユーザインターフェース１０８は表示デバイス１０６に組み込まれている。表示デバイス１０６は、ユーザからの触覚情報を受信可能であるタッチスクリーンディスプレイである。医師は、患者の診療記録及び家族病歴を、それぞれ、電子カルテ（ＥＭＲ）インターフェース３０６及び家族病歴インターフェース３０８を介して入力する。これらのインターフェース３０６及び３０８については以下に説明する。追加測定インターフェース３１４によって、医師が、ディスプレイ上に表示されていない追加の医用測定を調べ、患者の電子カルテにどの測定が追加されるべきであるかを選択することができる。インターフェース３１０は、患者が現在患っている病気でありうる患者病歴を示す。インターフェース３１０は更に、健康テンプレートから抽出された脈拍数閾値範囲及び酸素飽和度閾値範囲も示す。提案検査インターフェース３１２は、患者の健康状態及び診療記録に関して提案される追加検査を示す。図示されるように、喘息を有する患者に提案される追加検査は、血圧検査及び呼吸速度検査である。医師は、提案検査（オプションの提案検査）を追加する選択肢が与えられ、これは、医師が、患者の適切な診断を行うのに関連性があると思われる医師自身の検査を選択することを可能にし、これらの選択された検査は、提案検査リストに加えられる。
【００２２】
図４Ａは、本発明の好適な実施形態による例示的なＥＭＲインターフェース３０６を示す。ＥＭＲインターフェース３０６は、様々な患者情報４００、患者の既知の不調／疾患４０２及び現在の薬物治療４０４を表示する。図４Ｂは、本発明の好適な実施形態による例示的な家族病歴インターフェース３０８を示す。家族病歴インターフェース３０８は、様々な患者情報４００と、患者の家族構成員及び彼らの対応する疾患４０６とを表示する。
【００２３】
図５に示される本発明の第２の実施形態では、患者の健康状態及び診療記録に基づいて追加検査を提案するシステムは、パルスオキシメータ５００及びネットワークサーバ５０２を含む。パルスオキシメータ５００及びネットワークサーバ５０２は、通信リンク５０４を介して互いに接続される。パルスオキシメータ５００は、パルスオキシメータ基本ソフトウェア５０８、パルスオキシメータＧＵＩ５１０及びパルスオキシメータ患者データベース５１２を記憶するメモリ５０６を含む。パルスオキシメータ５００は更に、複数のセンサ５１４、複数のＬＥＤ５１６、アラーム５１８、プロセッサ５２０、クロック５２２、ディスプレイ５２４、通信モジュール５２６及び電源５２８を含む。ネットワークサーバ５０２は、ネットワーク基本ソフトウェア５３０、ネットワーク健康テンプレートデータベース５３２、ネットワーク家族病歴データベース５３４、ネットワーク提案検査データベース５３６及びネットワーク患者病歴データベース５３８を記憶する。
【００２４】
図６は、本発明の第２の実施形態において説明されるパルスオキシメータ基本ソフトウェア５０８の処理を示す。処理は、パルスオキシメータ５００が、酸素飽和度及び脈拍数の測定といった基本動作を実行することによって開始する（ステップ６００）。次に、パルスオキシメータソフトウェアは、医師が追加の測定を選択したかどうかを決定する。追加検査が選択されなかった場合、パルスオキシメータ測定値がパルスオキシメータ患者データベースに記憶される（ステップ６０２）。しかし、追加検査が選択された場合、追加検査が行われて追加医用データが収集される（ステップ６０４）。次に、これらの測定値はパルスオキシメータ患者データベース５１２に記憶され（ステップ６０６）、ディスプレイ５２４に送信される（ステップ６０８）。その後、パルスオキシメータ５００は、ネットワークサーバ５０２が利用可能であるかどうかを確認する（ステップ６１０）。ネットワークサーバ５０２が利用可能ではない場合、パルスオキシメータ５００は、基本動作を引き続き実行する（ステップ６００）。ネットワークサーバ５０２が利用可能である場合、パルスオキシメータ患者データベース５１２に記憶されたデータが、ネットワーク基本ソフトウェア５３０に送信される（ステップ６１２）。その後、パルスオキシメータ５００は、ネットワークサーバ５０２からネットワーク健康テンプレートを受信する（ステップ６１４）。
【００２５】
ネットワーク健康テンプレートと共に、ネットワーク患者病歴データベース５３８及びネットワーク家族病歴データベース５３４に記憶されているデータもパルスオキシメータ５００によって受信される（ステップ６１６）。次に、パルスオキシメータ患者データベース５１２に記憶されているデータが、受信したネットワーク健康テンプレートの対応するデータと比較される（ステップ６１８）。その後、パルスオキシメータ５００は、測定値が閾値範囲を超えるかどうかを決定する（ステップ６２０）。測定値が閾値範囲を超えない場合、パルスオキシメータ５００は、処理を再開する（ステップ６００）。或いは、測定値が閾値範囲を超える場合、パルスオキシメータ基本ソフトウェア５０８が、超えた閾値を抽出する（ステップ６２２）。次に、抽出された閾値はネットワークサーバ５０２に送信される（ステップ６２４）。その後、パルスオキシメータ５００は、ネットワーク基本ソフトウェア５３０から提案検査を受信する（ステップ６２６）。最後に、受信した提案検査は、ディスプレイ５２４に送信される（ステップ６２８）。パルスオキシメータソフトウェアは、医師からの追加検査があるかどうかを決定する（ステップ６３０）。追加の提案検査があれば、提案検査は、提案検査リストに表示され（ステップ６３２）、追加の提案検査がなければ、処理は終了する。
【００２６】
図７は、本発明の第２の実施形態において説明されるネットワーク基本ソフトウェア５３０の処理を示す。処理は、パルスオキシメータ５００が利用可能であるかどうかを決定することから開始する（ステップ７００）。パルスオキシメータ５００が利用可能ではない場合、ネットワークサーバ５０２は、パルスオキシメータ５００を引き続きポーリングする（ステップ７０２）。パルスオキシメータ５００が利用可能である場合、ネットワークサーバ５０２は、パルスオキシメータ基本ソフトウェア５０８から、パルスオキシメータ患者データベース５１２に記憶されているデータを受信する（ステップ７０４）。受信データは、次に、更新のためにネットワーク患者病歴データベース５３８に追加される（ステップ７０６）。ネットワーク基本ソフトウェア５３０は、更新されたネットワーク患者病歴データベース５３８に記憶されているデータを、ネットワーク健康テンプレートデータベース５３２に記憶されている対応するデータと比較する（ステップ７０８）。その後、健康テンプレートが抽出され（ステップ７１０）、次に、ネットワーク患者病歴データベース５３８及びネットワーク家族病歴データベース５３４に記憶されているデータと共に（ステップ７１４）、パルスオキシメータ基本ソフトウェア５０８に送信される（ステップ７１２）。次に、ネットワーク基本ソフトウェア５３０は、ネットワークサーバ５０２が、パルスオキシメータ基本ソフトウェア５０８から抽出閾値を受信したかどうかを確認する（ステップ７１６）。ネットワークサーバ５０２が抽出閾値を受信しなかった場合、ネットワーク基本ソフトウェア５３０は、パルスオキシメータ基本ソフトウェア５０８から、パルスオキシメータ患者データベース５１２に記憶されているデータを受信する処理に戻る（ステップ７０４）。或いは、ネットワークサーバ５０２が抽出閾値をしなかった場合、ネットワーク基本ソフトウェア５３０は、受信閾値を、ネットワーク提案検査データベース５３６に記憶されている対応するデータと比較する（ステップ７１８）。最後に、提案される検査が、ネットワーク提案検査データベース５３６から抽出され（ステップ７２０）、次に、パルスオキシメータ基本ソフトウェア５０８に送信される（ステップ７２２）。
【００２７】
図８は、健康状態がこれに対して対照される様々な健康テンプレート８００と、各健康テンプレートに対する対応するＳＯＰ２閾値８０２及び脈拍数閾値８０４とを表示する例示的なネットワーク健康テンプレートデータベース５３２を示す。
【００２８】
本発明は、上記本発明の幾つかの例示的な実施形態に限定されることを意図していない。当業者によって想像可能である他の変形態様も本開示の範囲に含まれることを意図している。
【図１】
2018527133.tif 000003
【図２】
2018527133.tif 000004
【図３Ａ】
2018527133.tif 000005
【図３Ｂ】
2018527133.tif 000006
【図４Ａ】
2018527133.tif 000007
【図４Ｂ】
2018527133.tif 000008
【図５】
2018527133.tif 000009
【図６】
2018527133.tif 000010
【図７】
2018527133.tif 000011
【図８】
2018527133.tif 000012
【国際調査報告】
2018527133.tif 000013
2018527133.tif 000014
2018527133.tif 000015
2018527133.tif 000016
2018527133.tif 000017